【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
第１の数のデータトーン上で符号化されたトレーニングフィールドと、ここにおいて、前記トレーニングフィールドがレガシーロングトレーニングフィールドを備える、
前記トレーニングフィールドに隣接する１つまたは複数の第１のエッジトーンと、ここにおいて、前記１つまたは複数の第１のエッジトーンがデータを搬送する、
前記トレーニングフィールドに隣接し、第２の数のデータトーンおよび前記第２の数のデータトーンに隣接する１つまたは複数の第２のエッジトーン上で符号化された、レガシー信号フィールドを備える信号フィールドと、ここにおいて、前記１つまたは複数の第２のエッジトーンがチャネル推定値を搬送する、
前記第２の数のデータトーンおよび前記１つまたは複数の第２のエッジトーン上で符号化された繰り返されるレガシー信号フィールドと、ここにおいて、前記繰り返されるレガシー信号フィールドの前記１つまたは複数の第２のエッジトーンがチャネル推定値を搬送する、
を備えるパケットをワイヤレスデバイスにおいて生成することと、
第２のデバイスへの送信のために前記パケットを出力することと、
ここにおいて、前記１つまたは複数の第２のエッジトーンが、複数の２０ＭＨｚサブチャネルの各々の各エッジにおいて２つのトーンを備え、前記１つまたは複数の第２のエッジトーンが、前記信号フィールドの送信中のピーク対平均電力比を最小限に抑えるのに十分な値を有する、
を備える、ワイヤレス通信の方法。
【請求項２】
前記第１の数が５２であり、前記第２の数が５２である、請求項１に記載の方法。
【請求項３】
データを搬送する前記１つまたは複数の第２のエッジトーンの極性が、高スループットロングトレーニングシーケンスの少なくとも一部分を示す、請求項１に記載の方法。
【請求項４】
前記１つまたは複数の第２のエッジトーンのパターンが追加のデータを示す、請求項１に記載の方法。
【請求項５】
前記１つまたは複数の第２のエッジトーンが、複数の２０ＭＨｚサブチャネルの各々の各下側エッジにおいて２つの正極性トーンを備え、前記複数の２０ＭＨｚサブチャネルの各々の各上側エッジにおいて２つの負極性トーンを備える、請求項４に記載の方法。
【請求項６】
命令を記憶するメモリと、
前記メモリと結合され、パケットを生成するために前記命令を実行するように構成されたプロセッサと、ここにおいて、前記パケットは、
第１の数のデータトーン上で符号化されたトレーニングフィールドと、前記トレーニングフィールドがレガシーロングトレーニングフィールドを備える、
前記トレーニングフィールドに隣接する１つまたは複数の第１のエッジトーンと、ここにおいて、前記１つまたは複数の第１のエッジトーンがデータを搬送する、
前記トレーニングフィールドに隣接し、第２の数のデータトーンおよび前記第２の数のデータトーンに隣接する１つまたは複数の第２のエッジトーン上で符号化された、レガシー信号フィールドを備える信号フィールドと、ここにおいて、前記１つまたは複数の第２のエッジトーンがチャネル推定値を搬送する、
前記第２の数のデータトーンおよび前記１つまたは複数の第２のエッジトーン上で符号化された繰り返されるレガシー信号フィールドと、ここにおいて、前記繰り返されるレガシー信号フィールドの前記１つまたは複数の第２のエッジトーンがチャネル推定値を搬送する、
を備える、
前記パケットを第２のデバイスに送信するように構成された送信機と、
ここにおいて、前記１つまたは複数の第２のエッジトーンが、複数の２０ＭＨｚサブチャネルの各々の各エッジにおいて２つのトーンを備え、前記１つまたは複数の第２のエッジトーンが、前記信号フィールドの送信中のピーク対平均電力比を最小限に抑えるのに十分な値を有する、
を備える、ワイヤレス通信するように構成された装置。
【請求項７】
前記第１の数が５２であり、前記第２の数が５２である、請求項６に記載の装置。
【請求項８】
データを搬送する前記１つまたは複数の第２のエッジトーンの極性が、後続のフィールドの変調およびコーディング方式（ＭＣＳ）、遅延拡散保護モード、ならびにパケット送信モードのうちの少なくとも１つを示す、請求項６に記載の装置。
【請求項９】
前記１つまたは複数の第２のエッジトーンのパターンが追加のデータを示す、請求項６に記載の装置。
【請求項１０】
前記１つまたは複数の第２のエッジトーンが、複数の２０ＭＨｚサブチャネルの各々の各下側エッジにおいて２つの正極性トーンを備え、前記複数の２０ＭＨｚサブチャネルの各々の各上側エッジにおいて２つの負極性トーンを備える、請求項９に記載の装置。
【請求項１１】
第１の数のデータトーン上で符号化されたトレーニングフィールドと、前記トレーニングフィールドがレガシーロングトレーニングフィールドを備える、
前記トレーニングフィールドに隣接する１つまたは複数の第１のエッジトーンと、ここにおいて、前記１つまたは複数の第１のエッジトーンがデータを搬送する、
前記トレーニングフィールドに隣接し、第２の数のデータトーンおよび前記第２の数のデータトーンに隣接する１つまたは複数の第２のエッジトーン上で符号化された、レガシー信号フィールドを備える信号フィールドと、ここにおいて、前記１つまたは複数の第２のエッジトーンがチャネル推定値を搬送する、
前記第２の数のデータトーンおよび前記１つまたは複数の第２のエッジトーン上で符号化された繰り返されるレガシー信号フィールドと、ここにおいて、前記繰り返されるレガシー信号フィールドの前記１つまたは複数の第２のエッジトーンがチャネル推定値を搬送する、
を備えるパケットを生成するための手段と、
第２のデバイスへの送信のために前記パケットを出力するための手段と、
ここにおいて、前記１つまたは複数の第２のエッジトーンが、複数の２０ＭＨｚサブチャネルの各々の各エッジにおいて２つのトーンを備え、前記１つまたは複数の第２のエッジトーンが、前記信号フィールドの送信中のピーク対平均電力比を最小限に抑えるのに十分な値を有する、
を備える、ワイヤレス通信のための装置。
【請求項１２】
前記第１の数が５２であり、前記第２の数が５２である、請求項１１に記載の装置。
【請求項１３】
データを搬送する前記１つまたは複数の第２のエッジトーンの極性が、後続のフィールドの変調およびコーディング方式（ＭＣＳ）、遅延拡散保護モード、ならびにパケット送信モードのうちの少なくとも１つを示す、請求項１１に記載の装置。
【請求項１４】
データを搬送する前記１つまたは複数の第２のエッジトーンの極性が、高スループットロングトレーニングシーケンスの少なくとも一部分を示す、請求項１１に記載の装置。
【請求項１５】
前記１つまたは複数の第２のエッジトーンのパターンが追加のデータを示す、請求項１１に記載の装置。
【請求項１６】
実行されたとき、装置に、
第１の数のデータトーン上で符号化されたトレーニングフィールドと、前記トレーニングフィールドがレガシーロングトレーニングフィールドを備える、
前記トレーニングフィールドに隣接する１つまたは複数の第１のエッジトーンと、ここにおいて、前記１つまたは複数の第１のエッジトーンがデータを搬送する、
前記トレーニングフィールドに隣接し、第２の数のデータトーンおよび前記第２の数のデータトーンに隣接する１つまたは複数の第２のエッジトーン上で符号化された、レガシー信号フィールドを備える信号フィールドと、ここにおいて、前記１つまたは複数の第２のエッジトーンがチャネル推定値を搬送する、
前記第２の数のデータトーンおよび前記１つまたは複数の第２のエッジトーン上で符号化された繰り返されるレガシー信号フィールドと、ここにおいて、前記繰り返されるレガシー信号フィールドの前記１つまたは複数の第２のエッジトーンがチャネル推定値を搬送する、
を備えるパケットを生成することと、
第２のデバイスへの送信のために前記パケットを出力することと、
ここにおいて、前記１つまたは複数の第２のエッジトーンが、複数の２０ＭＨｚサブチャネルの各々の各エッジにおいて２つのトーンを備え、前記１つまたは複数の第２のエッジトーンが、前記信号フィールドの送信中のピーク対平均電力比を最小限に抑えるのに十分な値を有する、
を行わせるコードを備える非一時的コンピュータ可読媒体。
【請求項１７】
前記１つまたは複数の第１のエッジトーンが４である、請求項１に記載の方法。
【請求項１８】
前記１つまたは複数の第２のエッジトーンが４である、請求項１に記載の方法。